(57)【要約】【課題】既存の信号経路設定機能を利用してミキシング出力信号の中から特定の入力系統の信号を除外して出力する。【解決手段】複数の送りスイッチ５１Ｌ，５１Ｒ、５１１〜５１ｎ、…、５ｍ１〜５ｍｎのオンオフ状態を設定することにより、任意の入力チャンネルの信号は、ミックスバス５６，ステレオバス５７の中から任意に選択されたバスに供給されることによりミックスされる。第１の信号経路設定手段が、所定の複数の入力チャンネルをステレオ出力チャンネルに接続する信号経路を設定する。第２の信号経路設定手段が、第１の信号経路設定手段により選択された所定の複数の入力チャンネルのうち、除外入力チャンネルとは異なる全ての入力チャンネルを、「ミックスマイナス」出力チャンネルのミックスバスに接続する信号経路を設定する。【選択図】　図１
2004072295.tif 000002
【特許請求の範囲】
【請求項１】
複数の入力系統の中から任意に選択された複数の入力系統を、複数の出力系統の中から任意に選択された出力系統に接続することによりミキシングをするシステムの信号経路を設定するミキシング用信号経路設定装置において、
選択された所定の複数の入力系統を第１の出力系統に接続する信号経路を設定する第１の信号経路設定手段と、
前記複数の入力系統の中から除外入力系統を設定する除外入力系統設定手段と、
前記所定の複数の入力系統のうち、前記除外入力系統とは異なる全ての入力系統を、前記第１の出力系統とは異なる第２の出力系統に接続する信号経路を設定する第２の信号経路設定手段、
を有することを特徴とするミキシング用信号経路設定装置。
【請求項２】
前記複数の出力系統の中から、前記第１の出力系統とは異なる前記第２の出力系統を設定する出力系統設定手段、
を有することを特徴とする請求項１に記載のミキシング用信号経路設定装置
【請求項３】
複数の入力系統の中から任意に選択された複数の入力系統を、複数の出力系統の中から任意に選択された出力系統に接続することによりミキシングをするシステムの信号経路の設定をコンピュータに実行させるためのミキシング用信号経路設定プログラムにおいて、
選択された所定の複数の入力系統を第１の出力系統に接続する信号経路を設定する第１の信号経路設定ステップと、
前記複数の入力系統の中から除外入力系統を設定する除外入力系統設定ステップと、
前記所定の複数の入力系統のうち、前記除外入力系統とは異なる全ての入力系統を、前記第１の出力系統とは異なる第２の出力系統に接続する信号経路を設定する第２の信号経路設定ステップ、
を有することを特徴とするミキシング用信号経路設定プログラム。
【発明の詳細な説明】
【０００１】
【発明の属する技術分野】
本発明は、複数系統の信号をミキシングするシステムのために、信号経路を設定するミキシング用信号経路設定装置およびミキシング用信号経路設定プログラムに関するものである。特に、複数系統のオーディオ信号を信号処理した上でミックスするオーディオミキサに適用して好適なものである。
【０００２】
【従来の技術】
オーディオミキサ（オーディオミキシングシステム）は、複数の入力系統の信号の中からオペレータによって指定された複数の入力系統のオーディオ信号（音声信号、楽音信号など）をミックスして、複数の出力系統の中からオペレータによって指定された出力系統に出力する。
従来の放送スタジオ用オーディオミキサは、「ミックスマイナス」という機能を備えている。アナウンサは、ミキシングされた音声をモニタしながら、マイクロフォンに音声を入力する。しかし、アナウンサが所在する場所とオーディオミキサの設置場所とが離れている場合、自分の音声が遅れて聞こえるので話しづらい。そこで、上述した「ミックスマイナス」という機能を用いて、自分の音声だけが抜かれた音声をモニタできるようにしている。
【０００３】
主にホールやイベント会場で使用されているオーディオミキサにおいても、上述した「ミックスマイナス」機能を持たせれば、放送用に使用する場合などにおいて同様の問題を解決できる。
しかし、従来の放送スタジオ用のオーディオミキサにおいては、一度ミキシングが完成された信号からアナウンサの音声信号を減算する回路を用いて「ミックスマイナス」機能を実現していた。そのため、専用の回路を別途必要とし、また、信号品質が劣化するという問題があった。
これに対し、従来、ホールやイベント会場で使用されているオーディオミキサにおいては、信号入力端子および信号出力端子を多数備えている。そのため、入力系統を出力系統に接続するために自由度の高い信号経路設定機能を備えている。そこで、この信号経路設定機能を利用して「ミックスマイナス」機能を実現する方法を検討した。
【０００４】
図５は、従来、ホールやイベント会場で使用されているオーディオミキサのシステム構成図である。説明を簡単にするため、本発明に関係しないブロックは省略した。
図中、５１はマイクロフォン入力カードであり、入力端子、内蔵ヘッドアンプ、アナログ／デジタル変換器を有する。５２はライン入力カードであり、入力端子、アナログ／デジタル変換器を有する。５３はデジタル入力カードであり、デジタル出力端子を有する。これらの入力カードの１または複数枚を任意に組み合わせてボックスに実装する。
５４は入力パッチであり、上述した入力カードからの各入力信号を入力チャンネル処理部５５の各入力チャンネルに選択的に接続する。
５５は入力チャンネル処理部であり、各入力チャンネル毎に入力信号の音量，音質等を調整し、調整前あるいは後の出力をミックスバス５６，ステレオバス５７の中の任意のバスに選択的に接続する。ミックスバス５６には、例えば　ＭＩＸ１からＭＩＸ４８までのバスがあり、ステレオバス５７には、ＳＴＥＲＥＯ　Ｌ，ＳＴＥＲＥＯ　Ｒのバスがある。
【０００５】
ミックス出力チャンネル処理部５９は、対応するミックスバス５６に接続され、各ミックスバス５６に接続された各入力チャンネルの信号がミックスされたものが入力され、音量，音質等を調整し出力パッチ部６０に出力する。
一方、ステレオ出力チャンネル処理部５８は、対応するステレオバス（ＳＴＥＲＥＯＬ，ＳＴＥＲＥＯ　Ｒ）５７に接続され、このバスに接続された各入力チャンネルの信号がミックスされて入力され、音量等を調整し出力パッチ部６０に出力する。
ミックスバスＭＩＸ１〜ＭＩＸ４８はミックス出力チャンネルと対応し、ステレオバスＳＴＥＲＥＯ　Ｌ，Ｒはステレオ出力チャンネルと対応する。
出力パッチ部６０においては、ミックス出力チャンネル処理部５９、ステレオ出力チャンネル処理部５８の各出力信号を、後続する任意の出力端子に選択供給する。６１はアナログ出力カードであり、デジタル／アナログ変換器と出力端子を有する。６２はデジタル出力カードであり、デジタル出力端子を有する。
【０００６】
【発明が解決しようとする課題】
本発明は、ミキシング出力信号の中から特定の入力系統の信号を除外して出力する機能を、既存の信号経路設定機能を利用して実現するミキシング用信号経路設定装置およびミキシング用信号経路設定プログラムを提供することを目的とするものである。
【０００７】
【課題を解決するための手段】
本発明は、請求項１に記載の発明においては、ミキシング用信号経路設定装置において、所定の複数の入力系統を第１の出力系統に接続する信号経路を設定する第１の信号経路設定手段と、除外入力系統設定手段と、除外入力系統とは異なる全ての入力系統を、第２の出力系統に接続する信号経路を設定する第２の信号経路設定手段を有するものである。
従って、既存の信号経路設定機能に変更を加えるだけで、除外入力系統を有したミキシング出力信号をミキシングシステムから出力させることができる。
一度生成されたミキシング信号出力から減算する方法を用いていないので、信号品質を劣化させない。
【０００８】
請求項２に記載の発明においては、請求項１に記載のミキシング用信号経路設定装置において、複数の出力系統の中から指定された、第１の出力系統とは異なる第２の出力系統を設定する出力系統設定手段を有するものである。
【０００９】
請求項３に記載の発明においては、請求項１に記載のミキシング用信号経路設定装置における、第１の信号経路設定手段、除外入力系統設定手段、および、第２の信号経路設定手段を、コンピュータプログラムの処理ステップで実行させるようにしたものである。
【００１０】
【発明の実施の形態】
図１は、本発明の実施の一形態を説明する信号経路図である。
図中、太線で示した信号経路は、従来の信号経路に新たに加えられた部分である。下記に示すスイッチやボリューム等の構成要素は、機能を示すものであって、必ずしも機械部品ではなく、必ずしも電気配線されたものではない。
１１〜１ｍは信号処理部であり、第１〜第ｍの入力チャンネルの音質調整を行う。この信号処理部１１〜１ｍの入力ポイントも、ミックスバス（ＭＩＸ１〜ＭＩＸｎ）５６への出力ポイント（プリイコライザ，ＰＲＥ　ＥＱ）になる場合がある。
２１〜２ｍはフェーダであり、音量調整を行う。この出力ポイントは「プリフェーダ（ＰＲＥ　ＦＡＤＥＲ）」という。
【００１１】
３１〜３ｍはポストオンスイッチであり、フェーダ２１〜２ｍを通った信号を後続するミックスバス（ＭＩＸ１〜ＭＩＸｎ）５６，ステレオバス５７に接続するか否かを制御する。この出力ポイントを「ポストオン」（ＰＯＳＴ　ＯＮ）という。
４１〜４ｍはパン（音像定位）ボリュームであり、ポストオンスイッチ３１〜３ｎの各出力ポイントにその摺動接点端子が接続される。
５１Ｌ，５１Ｒ〜５ｍＬ，５ｍＲは、各入力チャンネルからステレオバス５７への送りスイッチ（ＰＯＳＴ　”ＴＯ　ＳＴ”スイッチ）であり、パンボリューム４１〜４ｍのＬ，Ｒ端子に接続され、各Ｌ，Ｒは連動してオンオフ動作をし、ステレオバス５７への接続の有無を制御する。この出力ポイントを「ポスト・トゥ・ステレオ」（ＰＯＳＴ
”ＴＯ　ＳＴ”）という。
【００１２】
６１１〜６１ｎは、ミックスバス（ＭＩＸ１〜ＭＩＸｎ）５６に対する第１の入力チャンネルの出力ポイント選択スイッチである。第１の入力チャンネルの出力ポイント（ＰＲＥ　ＥＱ，ＰＲＥ　ＦＡＤＥＲ，ＰＯＳＴ　ＯＮ，ＰＯＳＴ　”ＴＯ　ＳＴ”）を選択する。
「ポスト・トゥ・ステレオ」（ＰＯＳＴ　”ＴＯ　ＳＴ”）に関しては、パンボリューム４１のＬ端子は、出力ポイント選択スイッチ６１１〜６１ｎの奇数番目に接続され、Ｒ端子は偶数番目に接続される。
７１１〜７１ｎは、第１の入力チャンネルからミックスバス（ＭＩＸ１〜ＭＩＸｎ）への送り量（ＳＥＮＤ　ＬＥＶＥＬ）ボリュームである。個々のミックスバス（ＭＩＸ１〜ＭＩＸｎ）５６へのレベル配分を調整する。
５１１〜５１ｎは、第１の入力チャンネルからミックスバス（ＭＩＸ１〜ＭＩＸｎ）５６への送りスイッチ（ＴＯ　ＭＩＸ１〜ＭＩＸｎ　ＳＥＮＤスイッチ）である。
【００１３】
同様に、６ｍ１〜６ｍｎは第ｍの入力チャンネルの出力ポイント選択スイッチ、７ｍ１〜７ｍｎは第ｍの入力チャンネルからミックスバス（ＭＩＸ１〜ＭＩＸｎ）５６への送り量（ＳＥＮＤ　ＬＥＶＥＬ）ボリューム、５ｍ１〜５ｍｎは、第ｍの入力チャンネルからミックスバス（ＭＩＸ１〜ＭＩＸｎ）５６への送りスイッチ（ＴＯ　ＭＩＸ１〜ＭＩＸｎ　ＳＥＮＤスイッチ）である。
各入力チャンネルの信号は、出力ポイント選択スイッチ６１１〜６ｍｎの可動接点端子、送り量ボリューム７１１〜７ｍｎおよび送りスイッチ５１１〜５ｍｎを経て、ミックスバス（ＭＩＸ１〜ＭＩＸｎ）５６に接続可能である。
「ポスト・トゥ・ステレオ」（ＰＯＳＴ　”ＴＯ　ＳＴ”）に関しては、パンボリューム４１〜４ｍのＬ端子からの信号は、ミックスバス（ＭＩＸ１〜ＭＩＸｎ）５６の奇数番目のバスに出力可能であり、Ｒ端子からの信号は偶数番目のバスに出力可能である。
【００１４】
上述した信号経路において、複数の送りスイッチ５１Ｌ，５１Ｒ、５１１〜５１ｎ、……、５ｍ１〜５ｍｎのオンオフ状態を設定することにより、入力チャンネル処理部５５から出力される第１〜第ｍの入力チャンネルの信号の中からオペレータによって任意に選択された複数の入力チャンネルの信号は、ミックスバス（ＭＩＸ１〜ＭＩＸｎ）５６，ステレオバス５７（ＳＴＥＲＥＯ　Ｌ，Ｒ）の中から任意に選択されたバスに供給されることにより、ミックスされて、対応するミックス出力チャンネル（図５）５９およびステレオ出力チャンネル（図５）５８に出力される。
上述した複数の送りスイッチ５１Ｌ，５１Ｒ、５１１〜５１ｎ、……、５ｍ１〜５ｍｎのオンオフは、例えば、ＣＰＵのプログラムステップにより実行される信号経路設定手段による信号経路設定に従って実行される。
【００１５】
第１の信号経路設定手段が、選択された所定の複数の入力チャンネルを放送出力用の第１の出力系統のバスに接続する信号経路を設定する。この実施の形態では、放送用の音声信号はステレオ出力チャンネルから出力することを前提としている。従って、「ミックスマイナス」を適用する前の、元のミキシング出力チャンネルは、ステレオ出力チャンネル（ＬまたはＲチャンネル）に固定設定している。図示の例では、上述した元のミックス出力チャンネルに接続される所定の複数の入力チャンネルを、第１チャンネルおよび第ｍの入力チャンネルとしている。
オペレータの指示入力に従って、図示しない除外入力チャンネル設定手段は、複数の入力チャンネルの中から除外入力チャンネル（「マイナス」される入力チャンネル）を設定する。図示の例では、第１の入力チャンネルとしている。
また、オペレータの指示入力に従って、図示しないミックス出力チャンネル設定部は、複数のミックス出力チャンネルの中から、「ミックスマイナス」出力チャンネルとして、元のミックス出力チャンネルとは異なる第２のミックス出力チャンネルを設定する。オペレータは、空いているミックス出力チャンネル、使用中であるが切り替えてもよいミックス出力チャンネルの中から、除外入力系統付きの「ミックスマイナス」出力チャンネルを任意に指定して設定できる。図示の例では、第４のミックス出力チャンネル（ミックスバスＭＩＸ４）としている。
【００１６】
第２の信号経路設定手段が、第１の信号経路設定手段により選択された所定の複数の入力チャンネル（第１，第ｍの入力チャンネル）のうち、除外入力チャンネル（第１の入力チャンネル）とは異なる全ての入力チャンネル（第ｍの入力チャンネル）を、第１のミックス出力チャンネル（この実施の形態では、ステレオ出力チャンネル）とは異なる第２のミックス出力チャンネル（第４の出力チャンネル）のミックスバス（ＭＩＸ４）に接続する信号経路を設定する。
すなわち、図示の例では、出力ポイント選択スイッチ６ｍ４，送り量（ＳＥＮＤ　ＬＥＶＥＬ）ボリューム７ｍ４（ゲイン０ｄＢ）、送りスイッチ（ＴＯ　ＭＩＸ４　ＳＥＮＤ）５ｍ４の信号経路を設定する。一方、出力ポイント選択スイッチ６１４，送り量（ＳＥＮＤ　ＬＥＶＥＬ）ボリューム７１４（ゲイン−∞ｄＢ）、送りスイッチ（ＴＯ　ＭＩＸ４　ＳＥＮＤ）５１４の信号経路は、ゲインが完全に絞られるので実質的に信号経路とならない。
上述した第２の信号経路の設定動作は、図３を参照して後述する。
【００１７】
図２は、本発明の実施の形態のハードウエア構成例を示すブロック図である。
ＣＰＵ１５は、フラッシュメモリ１６に格納された動作プログラム、パッチデータ等の各種設定データを用い、ＲＡＭ１７をワークエリアとして、オーディオミキサの制御動作を行う。
より具体的には、バス１１を介して、コンソールパネル上の各フェーダ１３，操作子１４の操作を検出して、オペレータの指示を受け付け、信号処理部２１にミキシング動作をさせるための設定を行う。表示画面を作成して表示器１２を制御したり、フェーダのモータ制御なども行う。表示画面に、操作子を表示させ、ＧＵＩ（グラフィカルユーザインターフェース）による操作も行える。
ＣＰＵ１５は、信号処理部２１における、各入力チャンネルの設定として、エフェクト、フェーダ、出力先、出力レベル等、各ミックス出力チャンネルの設定として、エフェクト、フェーダ等の設定を行う。上述した設定の一部として、図１に示した信号経路の設定がある。設定状態は、パネル操作状態を一括して保存，読み出しされる「シーンデータ」としてフラッシュメモリ１６に記憶可能である。
【００１８】
ＡＤ／ＤＩＯ１９１〜１９１０は、アナログ／デジタル変換ボックス、デジタルインターフェースボックスである。コネクタ２０１〜２０１０を介して信号処理部２１に接続される。アナログ／デジタル変換ボックスには、図５に示したような入力カードが実装される。一方、ＤＡ／ＤＩＯ２３１〜２３１０は、デジタル／アナログ変換ボックス、およびまたは、デジタルインターフェースボックスであり、信号処理部２１からコネクタ２２１〜２２１０を介して接続される。図５に示した各種の出力カードが実装される。
信号処理部２１は、例えばＤＳＰ（Ｄｉｇｔａｌ　Ｓｉｇｎａｌ　Ｐｒｏｃｅｓｓｏｒ）である。ＣＰＵ１５により、設定値、信号経路等が設定され、所望の複数の入力端子から入力された信号を任意に選択してミックスし、所望の出力端子から出力する動作をする。同時並行して複数のミキシング動作が行えるので、除外する入力チャンネルがある場合も同様にして実行される。
【００１９】
バス１１には、外部のパーソナルコンピュータ等と接続するためのインターフェース（ＰＣ／ＩＯ）１８を有し、例えば、パーソナルコンピュータは、その表示器に、表示器１２と同様の表示画面を表示させて、ＣＰＵ１５と同様に、信号処理部２１に対する設定を行うことができる。
フラッシュメモリ１６に記憶されるＣＰＵ１５を動作させる制御プログラムや設定データは、書き換えることができる。図示しない外部記憶装置（メモリーカードやＣＤ−ＲＯＭなど）を用いて新たな制御プログラムや設定データをインストールしたり、インターフェース（ＰＣ／ＩＯ）１８を介し、ネットワーク上のサーバコンピュータからダウンロードしてもよい。
【００２０】
図３は、本発明の実施の一形態の動作例を示すフローチャートである。図２に示したＣＰＵ１５あるいは外部接続されたパーソナルコンピュータが制御プログラムに従って、「ミックスマイナス」設定の各ステップを実行する。
図４は、「ミックスマイナス」設定を実行する画面の一例を示す図である。本発明に関係しない表示があるが、これらの説明は省略する。
図中、４１は「チャンネル・トゥ・ミックス」表示画面、４５はジョブ選択画面である。
「チャンネル・トゥ・ミックス」表示画面４１において、送り元である入力チャンネルが横方向に、送り先であるステレオチャンネル，ミックス出力チャンネル（ミックスバス）が縦方向に配置されている。ただし、ミックス出力チャンネルは、偶数番目と奇数番目とを２つずつ横に並べた上で、縦方向に配列されている。表示範囲は、スクロールバーを操作して移動させる。
（５１Ｌ，５１Ｒ），（５２Ｌ，５２Ｒ），（５３Ｌ，５３Ｒ），（５４Ｌ，５４Ｒ），５１３，５１４，５２３，５２４，５３３，５３４，５４３，５４４は送りスイッチ、４１，４２，４３，４４はパンボリューム、７１３，７１４，７２３，７２４，７３３，７３４，７４３，７４４は送り量ボリュームであり、図１の送りスイッチ，パンボリューム，送り量ボリュームと対応する。
【００２１】
４２１〜４２４は、除外入力チャンネルを設定する操作ボタンである。
４３１〜４３４は、図１に示した出力ポイント選択スイッチによって「ポスト・トゥ・ステレオ」（ＰＯＳＴ　”ＴＯ　ＳＴ”）を選択することに対応するスイッチである。
図示の例では、ミックスマイナスボタン４２１〜４２４を、除外入力チャンネルに対応する入力チャンネルの表示位置に表示している。
ポスト・トゥ・ステレオ・ボタン４３１〜４３４は、「ポスト・トゥ・ステレオ」出力ポイントからの接続先に対応するミックス出力チャンネルがある表示位置に表示している。この図４の例では、図１の出力ポイント選択スイッチ６１１〜６ｍｎとは若干異なり、奇数と偶数の２つのミックス出力チャンネルをペアとして「ポスト・トゥ・ステレオ」出力ポイントの接続先としている。従って、「ミックスマイナス」出力チャンネルは、この「ポスト・トゥ・ステレオ」出力ポイントの接続先であるペアの１つである。
【００２２】
図３に示したフローチャートは、まず、図４の「チャンネル・トゥ・ミックス」表示画面４１を表示させ、オペレータが「ミックスマイナス」ボタン４２１〜４２４，……，４２ｍの１つをクリックすることにより起動する。ミキシングコンソール上の操作子を用いた操作でも起動する。
Ｓ３１において、クリックしたものがミックスマイナスボタン４２１のときは、Ｓ３１において、ＣＨ１を除外入力チャンネルとして受け付ける。
Ｓ３２において、図４のジョブ選択画面４４をポップアップ表示させる。その除外入力チャンネル表示部４５に、チャンネル１が表示される。
Ｓ３３において、オペレータは、ミックスバスリスト４６の中から、１つのミックス出力チャンネル（例：ミックスバスＭＩＸ４）をクリックする。次に、ＯＫボタン４７をクリックすると、「ミックスマイナス」出力チャンネルの指定を受け付ける。なお、入力チャンネルやミックス出力チャンネルが、予め「ペア」にされていた場合（例えば、図示のＭＩＸ１＆ＭＩＸ２）には、ペアで受け付けられる。
【００２３】
Ｓ３４において、ステレオバス５７に送りが設定されている複数の入力チャンネルの中から、除外入力チャンネルとは異なる全ての入力チャンネルの信号を、「ミックスマイナス」出力チャンネルに出力させるための信号経路設定を作成する。
具体的には、図中（１）〜（３）に示す信号経路設定が行われる。
（１）　　「ミックスマイナス」出力チャンネル（ミックスバスＭＩＸ４）に対する全入力チャンネルの出力ポイント選択スイッチ６１４，６２４，６３４，…，６ｍ４が、放送の試聴者が聞いている「ポスト・トゥ・ステレオ」（ＰＯＳＴ　”ＴＯ　ＳＴ”）を選択するように設定する。なお、図４の例では、出力ポイント選択スイッチのペア（６１３，６１４など）は、共に「ポスト・トゥ・ステレオ」を選択している。
（２）　　「ミックスマイナス」出力チャンネル（ミックスバスＭＩＸ４）に対する全入力チャンネルについて、送りスイッチ５１４，５２４，５３４，５４４，…，５ｍ４をオンにする。
（３）　　除外入力チャンネル（ＣＨ１）から「ミックスマイナス」出力チャンネル（ＭＩＸ４）への送り量ボリューム７１４の送り量を−∞ｄＢとする。
（４）　　除外入力チャンネル（ＣＨ１）から「ミックスマイナス」出力チャンネル（ＭＩＸ４）への送り量ボリューム７２４，７３４，７４４の送り量を０ｄＢ（ｎｏｍｉｎａｌレベル）にする。
【００２４】
上述したように、この実施の形態においては、「ミックスマイナス」の信号経路設定では、ステレオバス５７に出力される所定の複数の入力チャンネルを選択（「ポスト・トゥ・ステレオ」を出力ポイントとして設けた）しているので、元の信号経路設定に応じた信号経路を一部に使用している。次に、その入力チャンネルのうち、除外入力チャンネルとは異なる全ての入力チャンネルと「ミックスマイナス」出力チャンネルとの間を接続させる。従って、元の信号経路設定に連動しているので、設定動作が簡単になる。
オペレータによって選択される除外入力チャンネルは、ステレオバス５７に出力されている所定の複数の入力チャンネルの中から選択されるように、選択入力時に予め制限を設けてもよい。しかし、仮に、所定の複数の入力チャンネルの中に選択された除外入力チャンネルが含まれていなくても、誤動作をしない信号経路になっている。
【００２５】
なお、図４の「チャンネル・トゥ・ミックス」表示画面４１において、オペレータが、「ポスト・トゥ・ステレオ・ボタン（ＴＯ　ＳＴ）」４３４を直接クリックして出力ポイントを「ポスト・トゥ・ステレオ」にすることもできる。
上述した例では、除外入力チャンネルと「ミックスマイナス」出力チャンネルとの間を接続しないようにするため、信号接続経路にある送り量ボリューム７１４のゲインを−∞（ｄＢ）として完全に絞り込んでいる。これに代えて、送りスイッチ５１４をオフにしてもよい。
あるいは、ステレオ出力チャンネルに接続される所定の複数の入力チャンネルに含まれている除外入力チャンネルについては、除外入力チャンネルの信号レベルを所定量だけ減衰させて「ミックスマイナス」出力チャンネルに接続する信号経路を設定してもよい。すなわち、送り量ボリューム７１４により所定量だけ減衰させて、アナウンサには自分の音声が小さく聞こえるようにしてもよい。
【００２６】
また、「ミックスマイナス」に２つのモードを設けてもよい。所定の複数の入力チャンネルのうち、除外入力チャンネルとは異なる全ての入力チャンネルを、「ミックスマイナス」出力チャンネルに接続する第１のモードと、所定の複数の入力チャンネルの全ての入力チャンネルを上述した「ミックスマイナス」出力チャンネルとしたミックス出力チャンネルに接続する第２のモードを設け、モード指定手段によりモードを切り替えてもよい。
図１に示した信号経路の設定は一例に過ぎない。入力チャンネルとミックス出力チャンネル間の信号経路設定によって、同様の「ミックスマイナス」機能が実行できればよい。
【００２７】
例えば、ポスト・トゥ・ステレオ（ＰＯＳＴ　ＴＯ　ＳＴ）のＬ端子またはＲ端子を出力ポイントとするのではなく、パンボリューム４１〜４ｎのＬ端子，Ｒ端子にそれぞれ新たなスイッチを設け、新たなスイッチのＬ端子，Ｒ端子を新たな出力ポイントとする。送りスイッチ（ＰＯＳＴ　”ＴＯ　ＳＴ”スイッチ）５１Ｌ，５１Ｒに連動して（元の信号経路設定に応じて）この新たなスイッチをオンオフさせる。
この他、「ポストオン」（ＰＯＳＴ　ＯＮ）に新たに１つのスイッチを設け、その出力側を新たな出力ポイントとし、送りスイッチ（ＰＯＳＴ　”ＴＯ　ＳＴ”スイッチ）５１Ｌ，５１Ｒに連動して（元の信号経路設定に応じて）オンオフさせてもよい。この新たな１つのスイッチの出力側は、ミックスバス（ＭＩＸ１〜ＭＩＸｎ）５６の全てのバスに接続可能にする。この場合、パンボリュームを経由しないので異なったモニタ音となってしまうが、パンボリュームの設定状態に影響されないモニター音となる。
【００２８】
ところで、「ミックスマイナス」する前の元のミックス出力チャンネルに接続されている入力チャンネル、その出力ポイント、送り量などのパラメータ情報は、フラッシュメモリ１６に記憶されている。従って、これらの情報を、「ミックスマイナス」出力チャンネルに対してコピーし、次に、除外する入力チャンネルに関しては、送りスイッチをオフに設定するか、または、送り量を完全にあるいは不完全に減衰させるように変更することによって、「ミックスマイナス」機能を実行することもできる。
この場合、図１に示した信号経路として、通常のミキシング用の信号経路と、「ミックスマイナス」用の信号経路が入出力間で併存することになる。
【００２９】
上述した説明では、ステレオ出力チャンネル（ステレオバス）に送られる信号を対象として「ミックスマイナス」を実行した。しかし、「ミックスマイナス」の対象とするミックス出力チャンネル（ミックスバス）を、任意に設定できるようにしてもよい。
また、「ポスト・トゥ・ステレオ」のＬ，Ｒのように、２つのミックス出力チャンネルを１対として同時に「ミックスマイナス」（例えば、ステレオモニタ出力のミックスマイナスとなる）を実行してもよい。
【００３０】
上述した「ミックスマイナス」ミキシングの信号経路設定を反映して、新たな表示画面を作成して表示させる。図４に示した「チャンネル・トゥ・ミックス」表示画面４１は、既に変更設定後の表示画面を示している。
変更設定前から、送りスイッチ（５１Ｌ，５１Ｒ）、（５２Ｌ，５２Ｒ）は、オン表示（押圧状態、緑）になっていて、第１，第２入力チャンネルが、ステレオチャンネルにミックス出力されている。
変更設定後、例えば、ミックスマイナスボタン４２１をオン表示（押圧状態、緑）に、ポスト・トゥ・ステレオ・ボタン４３２をオン表示（押圧状態、ＯＮ、緑）に、送りスイッチ５１４，５２４，５３４，５４４をオン表示（押圧状態、ＯＮ、緑）にする。送り量ボリューム７１４の送り量表示は「−∞」に、送り量ボリューム７２４，７３４，７４４，……の送り量表示は「０」にする。
【００３１】
もちろん、「チャンネル・トゥ・ミックス」表示画面４１であるので、通常のミキシングの、複数の入力チャンネルとステレオ出力チャンネル，ミックス出力チャンネル間の信号経路を構成する操作子およびボリュームの状態が表示されているので、これに重ねて上述した「ミックスマイナス」ミキシングの信号経路の設定状態が表示される。
図４の例では、ミックス出力チャンネルを偶数番目と奇数番目とを対にして表示しているので、ポスト・トゥ・ステレオ・ボタン４３１〜４３４と、送りスイッチ５１４，５２４，５３４，５４４のオン表示を見ることによって一方の「ミックスマイナス」出力チャンネル（チャンネル４）に特定される。
【００３２】
【発明の効果】
本発明は、上述した説明から明らかなように、特定の入力系統の信号の除外を、従来の信号接続設定機能に変更を加えるだけで、音質を低下させることなく実現できるという効果がある。
【図面の簡単な説明】
【図１】本発明の実施の一形態を説明する信号経路図である。
【図２】本発明の実施の形態のハードウエア構成例を示すブロック図である。
【図３】本発明の実施の一形態の動作例を示すフローチャートである。
【図４】「ミックスマイナス」設定を実行する画面の一例を示す図である。
【図５】従来、ホールやイベント会場で使用されているオーディオミキサのシステム構成図である。
【符号の説明】
１１〜１ｎ…信号処理部、２１〜２ｎ…フェーダ、３１〜３ｎ…ポストオンスイッチ、４１〜４ｎ…パンボリューム、５１Ｌ，５１Ｒ，５１１〜５１ｎ…送りスイッチ、６１１〜６１ｎ，６ｍ１〜６ｍｎ…出力ポイント選択スイッチ、７１１〜７１ｎ，７ｍ１〜７ｍｎ…送り量ボリューム
【図１】
2004072295.tif 000003
【図２】
2004072295.tif 000004
【図３】
2004072295.tif 000005
【図４】
2004072295.tif 000006
【図５】
2004072295.tif 000007